(57)【要約】【課題】六角ナット及びネジ杆を具備し、組立形状の選択の幅が広い置き物形成セットを提供する。【解決手段】複数の六角ナット１を相互の軸心を平行状として固着一体化した複数の基本ブロック体２と、複数の上記基本ブロック体２を回転停止自在にネジ・ナット結合するためのネジ杆４及び止めナット５とを、具備する。複数の基本ブロック体２の所定の六角ナット１のネジ孔３にネジ杆４を挿通して止めナット５を螺着し、複数の基本ブロック体２を、ネジ杆４の軸心Ｌ4 廻りに回転停止自在に枢結して、置き物姿勢を変化自在に組立てるように、構成する。【選択図】図１
2019122486.tif 000002
【特許請求の範囲】
【請求項１】
複数の六角ナット（１）を相互の軸心（Ｌ1 ）を平行状として固着一体化した複数の基本ブロック体（２）と、複数の上記基本ブロック体（２）を回転停止自在にネジ・ナット結合するためのネジ杆（４）及び止めナット（５）とを、具備し、
複数の上記基本ブロック体（２）の所定の上記六角ナット（１）のネジ孔（３）に上記ネジ杆（４）を挿通して上記止めナット（５）を螺着し、複数の上記基本ブロック体（２）を、上記ネジ杆（４）の軸心（Ｌ4 ）廻りに回転停止自在に枢結して、置き物姿勢を変化自在に組立てるように、構成したことを特徴とする置き物形成セット。
【請求項２】
複数の六角ナット（１）を相互の軸心（Ｌ1 ）を平行状として固着一体化した複数の基本ブロック体（２）を具備し、
複数の上記基本ブロック体（２）の所定の上記六角ナット（１）のネジ孔（３）にネジ杆（４）を挿通して止めナット（５）を螺着し、複数の上記基本ブロック体（２）が、上記ネジ杆（４）の軸心（Ｌ4 ）廻りに回転停止自在に、上記ネジ杆（４）と上記止めナット（５）にて枢結されて、置き物姿勢を変化自在に組立てたことを特徴とする置き物。
【発明の詳細な説明】
【技術分野】
【０００１】
本発明は、置き物形成セット及び置き物に関する。
【背景技術】
【０００２】
従来、ネジやナットを用いた置き物形成セットが公知である（例えば、特許文献１参照）。
【先行技術文献】
【特許文献】
【０００３】
【特許文献１】特開２００３−２２５４７６号公報
【発明の概要】
【発明が解決しようとする課題】
【０００４】
特許文献１記載の置き物形成セットは、各ブロックが、例えば、頭部ブロック、腕部ブロック、胴脚部ブロックに予め形成されており、特定の数種類の組立形状の置き物しか形成することができず、組み立ての際、選択の幅が少ないという問題、及び、色々な異なる置き物を工夫して造る楽しみが低いという問題がある。そこで、本発明は、六角ナット及びネジ杆を具備し、組立形状の選択の幅が広く、工夫する楽しみも多い置き物形成セットを提供することを目的とする。
【課題を解決するための手段】
【０００５】
そこで、本発明に係る置き物形成セットは、複数の六角ナットを相互の軸心を平行状として固着一体化した複数の基本ブロック体と、複数の上記基本ブロック体を回転停止自在にネジ・ナット結合するためのネジ杆及び止めナットとを、具備し、複数の上記基本ブロック体の所定の上記六角ナットのネジ孔に上記ネジ杆を挿通して上記止めナットを螺着し、複数の上記基本ブロック体を、上記ネジ杆の軸心廻りに回転停止自在に枢結して、置き物姿勢を変化自在に組立てるように、構成したものである。
【０００６】
また、本発明に係る置き物は、複数の六角ナットを相互の軸心を平行状として固着一体化した複数の基本ブロック体を具備し、複数の上記基本ブロック体の所定の上記六角ナットのネジ孔にネジ杆を挿通して止めナットを螺着し、複数の上記基本ブロック体が、上記ネジ杆の軸心廻りに回転停止自在に、上記ネジ杆と上記止めナットにて枢結されて、置き物姿勢を変化自在に組立てたものである。
【発明の効果】
【０００７】
本発明の置き物形成セットによれば、特定の数種類の組立形状の置き物だけでなく、色々な形状の置き物を形成することができる。また、可動部によって動物等の動きを表現する楽しさがある。そして、色々なイマジネーションを持って、色々な置き物を形成することができる。また、六角ナットを固着一体化した基本ブロック体を用いているので、安定した姿勢の置き物を容易に形成することができる。また、市販の規格ナットを用いて基本ブロック体等を製造することができる。
【０００８】
また、本発明の置き物によれば、「これは何だろう？」と考えて、それが何であるかを推定するといった面白さがある。また、外観が武骨で楽しめる。さらに、姿勢を色々と変化させたり、自動的に簡単に凹凸を組合わせたりできて、面白い。また、市販の規格ナット等を用いて安価に製造することができる。
【図面の簡単な説明】
【０００９】
【図１】本発明の使用状態の一例を示す斜視図である。
【図２】側面図である。
【図３】使用状態の他例を示す斜視図である。
【図４】側面図である。
【図５】使用状態の別例を示す斜視図である。
【図６】側面図である。
【図７】さらに他例を示す正面図である。
【図８】さらに別例を示す斜視図である。
【図９】置き物姿勢の一例を示す簡略側面図である。
【図１０】置き物姿勢の他例を示す簡略側面図である。
【図１１】基本ブロック体の一例を示す正面図である。
【図１２】斜視図である。
【図１３】基本ブロック体の他例を示す正面図である。
【図１４】斜視図である。
【図１５】基本ブロック体の別例を示す正面図である。
【図１６】斜視図である。
【図１７】基本ブロック体のさらに他例を示す正面図である。
【図１８】斜視図である。
【図１９】ネジ杆を示す斜視図である。
【図２０】説明図である。
【図２１】置き物の他例を示す斜視図である。
【図２２】変形ブロック体の一例を示す斜視図である。
【発明を実施するための形態】
【００１０】
以下、図示の実施の形態に基づいて本発明を詳説する。
図１・図２は、本発明の置き物形成セットを用いて形成した置き物（置き物形成セットの使用状態）の一例を示す。この置き物は、かぶとの形状である。図３・図４は、置き物の他例を示し、犬の形状の置き物である。図５・図６はキリンの形状の置き物である。図７は、鳥の形状の置き物である。図８は、へび（龍）の形状の置き物である。
【００１１】
本発明の置き物形成セットは、金属製（例えば鋼鉄製、ステンレス製、さらには、そのメッキしたもの）の複数の六角ナット１を相互の軸心Ｌ1 を平行状として各六角ナット１の平面相互を固着一体化した複数の基本ブロック体２を、具備する。六角ナット１が、金属製なので、長期間使用及び保存することができる。基本ブロック体２は、例えば、図11及び図12に示すように、２個の六角ナット１を相互の軸心Ｌ1 を平行状として平面相互を当接状に固着一体化したものである。また、図13及び図14に示すように３個の六角ナット１を相互の軸心Ｌ1 を平行状として直線状に固着一体化したものである。また、図15及び図16に示すように３個の六角ナット１を相互の軸心Ｌ1 を平行状として折曲り線状に固着一体化したものである。また、図17及び図18に示すように３個の六角ナット１を相互の軸心Ｌ1 を平行状として三角形状に固着一体化したものである。具体的には、接着剤による接合、溶接、ロウ付け等により、一体化される。
【００１２】
複数の基本ブロック体２を回転停止自在にネジ・ナット結合するためのネジ杆４及び止めナット５を、具備する。ネジ杆４の頭部を、十分に小さく設定する。ネジ杆４は、図19に示すように、複数種類の長さ寸法のものを具備するのが、好ましい。また、ワッシャ６（図１〜図10参照）を具備する。例えば、ワッシャ６を可動部に配設することにより、滑りを良くすることができる。また、ワッシャ６をスペーサとして用いることもできる。置き物形成セットを構成する上記各部品の数は、例えば、基本ブロック体２を10個以上、ネジ杆４を５本以上、止めナット５を５個以上に設定するのが、好ましい。シンプルな置き物から複雑な置き物まで、色々な形状の置き物を形成することが可能である。単体の六角ナット１を、例えば、３個以上に設定する。ワッシャ６を、例えば、５個以上に設定する。
【００１３】
複数の基本ブロック体２の所定の六角ナット１のネジ孔３にネジ杆４を挿通して止めナット５を螺着し、複数の基本ブロック体２を、ネジ杆４の軸心Ｌ4 廻りに回転停止自在に枢結して、置き物姿勢を変化自在に組立てるように、構成する。図20は、隣合う基本ブロック体２の六角ナット１が面接触している状態（面接触状態）を実線で示し、六角形の頂点部分で接触している状態（頂点接触状態）を２点鎖線で示す。ネジ杆４は、ネジ外径を図示する。六角ナット１のネジ孔３は、ネジ内径を図示する。六角ナット１が、面接触状態から頂点接触状態に回転すると、ネジ杆４は、εだけ（隣合う六角ナット１が離れる方向に）移動する。図20に於て、Ｏは、面接触状態での六角ナット１のネジ孔３の中心点を示し、Ｏ′は、頂点接触状態での六角ナット１のネジ孔３の中心点を示す。六角ナット１のネジ孔３とネジ杆４の各寸法を、組立状態に於て、隣合う基本ブロック体２の間の２個の六角ナット１の軸心Ｌ1 間の距離Ｅが、六角ナット１の回転を許す距離となるように移動可能に設定する。特に、ネジ孔３内径とネジ杆外径を、組立状態に於て、隣合う基本ブロック体２の間の２個の六角ナット１の軸心Ｌ1 間の距離Ｅが、六角ナット１の外周円直径よりも大きく移動可能に設定する。
【００１４】
言い換えると、ネジ杆４のネジ外径を、六角ナット１のネジ孔３のネジ内径よりも十分小さく設定して、図20に於て２点鎖線で示すように隣合う六角ナット１，１の角部相互が接近（接触）しつつ回転可能とする。なお、図20では、ネジ杆４のネジ外径寸法は、最大の場合を例示し、実際は、さらに小径とするのが好ましい。なお、前記ワッシャ６は、ネジ杆４の小さめの頭部、及び、止めナット５が、六角ナット１のネジ孔３に落ち込むのを防止する機能も備えている。
【００１５】
次に、上述の置き物形成セットにて形成された置き物（図１〜図10参照）について説明する。置き物は、複数の六角ナット１を相互の軸心Ｌ1 を平行状として固着一体化した複数の基本ブロック体２を具備する。複数の基本ブロック体２の所定の六角ナット１のネジ孔３にネジ杆４を挿通して止めナット５を螺着し、複数の基本ブロック体２が、ネジ杆４の軸心Ｌ4 廻りに回転停止自在に、ネジ杆４と止めナット５にて（ネジ・ナット結合により）枢結されて、置き物姿勢を変化自在に組立てられる。図８に示した直線状置き物の場合で示せば、例えば、図９に示すように、端部を少し折曲状としたへびに見える置き物姿勢とすることができる。また、図10に示すように、端部を多めに折曲状として龍のように見える置き物姿勢とすることもできる。同様に、図１・図２に示したかぶとの場合、角の部分が揺動可能である。図３・図４に示した犬の場合、脚の部分が揺動可能である。図５・図６に示したキリンの場合、首及び頭の部分、及び、脚の部分が揺動可能である。図７に示した鳥の場合、全体的に揺動可能である。即ち、両翼が前後方向に、さらに、各翼が弯曲自在である。
【００１６】
図21は、本発明の置き物の他例を示し、人の形状の置き物である。相互に平行状に配設された複数の六角ナット１の軸心Ｌ1 に対して、ねじれの位置にある軸心Ｌ2 を有する六角ナット１が、付設される。具体的には、図22に示すように、２つの六角ナット１が、各々の軸心Ｌ1 ，Ｌ2 が相互にねじれの位置（平面視で90°の交叉角）となるように、固着一体化された変形ブロック体７を、具備する。
【００１７】
なお、本発明は、設計変更可能であって、例えば、六角ナット１のネジ孔３の内周と、ネジ杆４の外周との間に、図示省略の円筒体（スペーサパイプ）を介在させるも好ましい。また、マグネット（図示省略）を具備しても良く、形成可能な置き物の種類を増加させることができる。また、六角ナット１、ネジ杆４、止めナット５、ワッシャ６を、樹脂製とするも良い。さらに、単体の六角ナット１を具備するも良い。また、基本ブロック体２を、４個以上の六角ナット１が固着一体化したものとするも良い。
【００１８】
以上のように、本発明は、複数の六角ナット１を相互の軸心Ｌ1 を平行状として固着一体化した複数の基本ブロック体２と、複数の上記基本ブロック体２を回転停止自在にネジ・ナット結合するためのネジ杆４及び止めナット５とを、具備し、複数の上記基本ブロック体２の所定の上記六角ナット１のネジ孔３に上記ネジ杆４を挿通して上記止めナット５を螺着し、複数の上記基本ブロック体２を、上記ネジ杆４の軸心Ｌ4 廻りに回転停止自在に枢結して、置き物姿勢を変化自在に組立てるように、構成したので、特定の数種類の組立形状の置き物だけでなく、色々な形状の置き物を形成することができる。特に、可動部を形成する楽しさがある。そして、色々なイマジネーションを持って、色々な置き物を形成することができる。また、六角ナット１を固着一体化した基本ブロック体２を用いているので、安定した姿勢の置き物を容易に形成することができる。また、市販の規格ナットを用いて基本ブロック体２等を製造することができる。
【００１９】
また、複数の六角ナット１を相互の軸心Ｌ1 を平行状として固着一体化した複数の基本ブロック体２を具備し、複数の上記基本ブロック体２の所定の上記六角ナット１のネジ孔３にネジ杆４を挿通して止めナット５を螺着し、複数の上記基本ブロック体２が、上記ネジ杆４の軸心Ｌ4 廻りに回転停止自在に、上記ネジ杆４と上記止めナット５にて枢結されて、置き物姿勢を変化自在に組立てたので、「これは何だろう？」と考えて、それが何であるかが分かる面白さがある。また、外観が武骨で楽しめる。さらに、姿勢を色々と変化させたり、自動的に簡単に凹凸を組合わせたりできて、面白い。また、市販の規格ナット等を用いて安価に製造することができる。
【符号の説明】
【００２０】
１  六角ナット
２  基本ブロック体
３  ネジ孔
４  ネジ杆
５  止めナット
Ｌ1   軸心
Ｌ4   軸心
【図１】
2019122486.tif 000003
【図２】
2019122486.tif 000004
【図３】
2019122486.tif 000005
【図４】
2019122486.tif 000006
【図５】
2019122486.tif 000007
【図６】
2019122486.tif 000008
【図７】
2019122486.tif 000009
【図８】
2019122486.tif 000010
【図９】
2019122486.tif 000011
【図１０】
2019122486.tif 000012
【図１１】
2019122486.tif 000013
【図１２】
2019122486.tif 000014
【図１３】
2019122486.tif 000015
【図１４】
2019122486.tif 000016
【図１５】
2019122486.tif 000017
【図１６】
2019122486.tif 000018
【図１７】
2019122486.tif 000019
【図１８】
2019122486.tif 000020
【図１９】
2019122486.tif 000021
【図２０】
2019122486.tif 000022
【図２１】
2019122486.tif 000023
【図２２】
2019122486.tif 000024